(57)【特許請求の範囲】
【請求項１】
第三種、第一種、及び、第二種のてこの原理を用いた機構のハンディ−な本体で、それらの本体の機構を、力点であるハンドルを押して、離したら、元に戻る機能の機構を持った本体とし、それらの本体の作用点に、数本の同じ長さの先端を鋭く尖らせた釘の先の部分である釘針を、又は、数本の釘針の内の一部を数ミリ短くした釘針を、それらの作用点の取付け面である釘針座面に直角に設け、それらの釘針の周囲には、釘針の先端よりもわずかに長いバネを設けた水切り袋作製用穴開け機。
【請求項２】
作用点に相対した反作用点に、数本のバネで囲われた釘針のバネを受け止め、押されたバネから露出した釘針を受け入れる釘針受穴を持つバネ受台を設け、そのバネ受台上面には、釘針受穴の上面より低いバネの端部を受け入れる浅い溝のバネ受溝を釘針受穴の周囲に設け、又は、外側にバネの端部を、内側に釘針を受け入れるバネ受面よりもわずかに飛び出したパイプを釘針受穴に設け、釘針の先端が袋面に突き刺さる時、釘針座面、袋面、及び、バネ受台上面とも、それぞれ平行になるようにそのバネ受台を設けた請求項１に記載の水切り袋作製用穴開け機。
【請求項３】
第三種てこの原理を用いた本体には、バネ受台の下側に、指先が入る穴、もしくは、指先が引っ掛かる指掛かりを設けた請求項１、及び、２に記載の水切り袋作製用穴開け機。
【請求項４】
第一種てこの原理を用いた本体には、その不使用時に、ハンドルが開くのを防ぐフック掛けのある開き止め金具を設けた請求項１、及び、２に記載の水切り袋作製用穴開け機。
【請求項５】
ハンドルを押して、数本のバネで囲われた釘針が、バネ受台の上の袋面を突き刺して、押されたバネが一番短くなった時、電池が組込まれた電子音の鳴る装置のスイッチが入り、通電して、電子音の擬音が鳴る装置を設けた請求項３、及び、４に記載の水切り袋作製用穴開け機。
【発明の詳細な説明】
【技術分野】
【０００１】  本発明は、家庭の台所で発生する生ゴミを捨てる際に、他の目的で使用して使用済みになった廃棄される袋（例、ス−パ−等のビニ−ル袋や、ポリ袋等。）を再利用し、その袋の底に水を通す穴を開けてその生ゴミを入れ、溜めて置いて、その生ゴミの水を切る為の袋を作製する水切り袋作製用穴開け機に関する。
【背景技術】
【０００２】  従来、家庭の台所の生ゴミの水を切るには、市販されている水切り籠や水切り袋を使用したり、又、他の目的で使用して使用済みになった廃棄される袋を再利用し、その袋の底に竹串や爪楊枝等を刺し、水切り穴を開けて水切り袋を作成し、それを使用していた。【０００３】  上記の方法は、非経済的、非合理的、非能率的、非簡便的であり、それらを解決しようと幾つかの発明が成された。
【特許文献１】  特開平９−１０３９９８公報
【特許文献２】  特開２００１−１２１４９４公報
【特許文献３】  特開２００１−１９８８９１公報
【特許文献４】  特開２００６−７４０６公報
【特許文献５】  実用新案登録第３０５６７７９号公報
【特許文献６】  特開２０００−１５３４９９公報
【特許文献７】  実全平０２−０２４０００公報
【特許文献８】  実用新案登録第３０２４８１７号公報
【特許文献９】  実開平０６−０１７９２６公報
【特許文献１０】  実開平０２−０２３９９９公報
【特許文献１１】  実全昭６０−０９７３００公報
【発明の開示】
【発明が解決しようとする課題】
【０００４】  上記の幾つかの成された発明は、ハンディ−性、安全性、簡便性、円滑性、迅速性、コンパクト性、収納性、及び、水切り穴の有効性の持続等のいずれかの点において、それぞれ難点や問題点が有り、本発明は、それらの点を解決する事を目的とする水切り袋作製用穴開け機である。
【課題を解決するための手段】
【０００５】  本発明は、上記の目的を達成する為に下記の方法にて、それらの難点や問題点を解決する。【０００６】  てこの原理を用いて、物を挟んだり、切ったり、穴を開けたり、押えたり、止めたりする事を目的とする道具で、その本体の機構に、その力点であるハンドルを押して離したら、その反作用で自動的に元に戻るバネの原理を用いた機構を持つハンディ−な道具の第三種てこを用いた物で、その内の一例である手持ち式ステ−プラ、及び、第一種てこを用いた物で、その内の一例である手持ち式ハトメパンチ等のそれらの本体の機構のその機能を流用し、それらの作用点である、手持ち式ステ−プラの場合は、支点から最も離れた所にあるつづり針を押し出す押刃の代わりに、又、手持ち式ハトメパンチの場合は、ハトメ押し台の代わりに、請求項１に記載の数本のバネで囲われた釘針を設け、更に、それらの作用点に相対する反作用点である、手持ち式ステ−プラの場合は、ハンドルの押刃で押された針を受けて、その針を曲げるベ−ス部分の案内溝の付いた針曲げ台の代わりに、又、手持ち式ハトメパンチの場合は、ハトメ乗せ台の代わりに、請求項２に記載のバネ受台を設け、それらの関係を請求項１、及び、２に記載の状態を成り立たせるように設けた機構からなる水切り袋作製用穴開け機である。【０００７】又、手持ち式ステ−プラの場合は、ハンドルとベ−スの間に、手持ち式ハトメパンチの場合は、ハトメ押し台とハトメ受け台の間に、請求項１に記載のバネの代わりに、釘針の通る穴を設けた袋押え、及び、袋外しの為のバネの原理を用いた板バネを設けても同じ機能を果たす事が出来る。【０００８】  そして、第三種てこの原理を用いた本体には、バネ受台の下側に、指先が入る穴、もしくは、指先が引っ掛かる指掛かりを設け、又、第一種てこの原理を用いた本体には、その不使用時に、ハンドルが開くのを防ぐフック掛けのある開き止め金具を設けた水切り袋作製用穴開け機である。【０００９】  更に、ハンドルを押して、数本のバネで囲われた釘針が、バネ受台の上の袋面を突き刺して、押されたバネが一番短くなった時、電池が組込まれた電子音の鳴る装置のスイッチが入り、通電して、電子音の擬音が鳴る装置を設けた水切り袋作製用穴開け機である。
【発明の効果】
【００１０】  請求項１に記載の本体の作用点に、釘針の先端よりもわずかに長いバネで囲われた数本の釘針を設け、更に、その本体の相対する反作用点に設けた、バネ受溝、及び、バネ受面よりもわずかに高い所に上面のある釘針受穴を持ったバネ受台に袋面を乗せ、釘針が袋面を突き刺す時、釘針座面、袋面、及び、バネ受台上面を、共に平行になるようにした機構により、以下の効果が生じる。【００１１】  ハンドルが自動的に元に戻るハンディ−な本体は、片手に袋を持ち、もう一方の片手に本体を持ったまま、ハンドルを押して、離して、横移動する一連の反復動作で穴開け作業が出来、釘針に設けたバネの効果と相乗して、簡単、円滑、且つ、迅速に、袋面の底の好きな所に、好きな数だけの穴を開ける事が出来る。【００１２】  又、数本の釘針の内の一部の釘針を数ミリ短くした釘針は、釘針が袋面に突き刺さる時の釘針全体の抵抗を時間的に分散し、より小さい力で釘針を袋面に突き刺さす事が出来る。【００１３】  そして、釘針の周囲に設けた釘針の先端よりもわずかに長いバネは、鋭く尖った釘針からの安全性を確保するカバ−になり、又、それは、本体のハンドルを押した時、張力の強い袋面を釘針が突き刺す直前に、バネの端部で、袋面を直接押さえ付け、挟みこんで、バネ受溝にはまり、袋面も、バネも、ずれたり、滑ったりする事を無くする事が出来る。【００１４】  次に、バネ受面よりも釘針受穴上面を高くした事により、バネの先端で、釘針受穴上面に乗った袋面を、引張り下げる事となり、その結果、より袋面に張りを持たせた状態にする事が出来る。【００１５】  更に、鋭く尖った釘針が、張りを持った袋面に突き刺さる時、釘針座面、袋面、及び、バネ受台上面を、共に平行になるように設けた事により、釘針を、袋面に直角に突き刺す事が出来て、その結果、釘針が袋の破断面を均等な力で刺し広げる事が出来る。【００１６】  以上のそれらの事が合い相乗し、その結果、その開けられた穴は、ふさがりにくく、有効性が持続する、水切れの良い水切り穴を開ける事が出来る。【００１７】  更に、釘針の周囲に設けた釘針の先端よりもわずかに長いバネは、釘針が袋面に突き刺さり、穴が開いた後、本体のハンドルを離す事で、押されたバネは、その反作用で、釘針に突き刺さった袋面を、直接、自動的に釘針から押出し、袋面が釘針に残ったり、引っ掛かったりする事なく、釘針から外れ、次に、片手で持った本体を容易に横移動する事が出来て、穴開け行為の反復動作を、ハンディ−な本体と相乗して、簡単、円滑、且つ、迅速にする事が出来る。【００１８】  請求項３に記載の指先の入る穴の指掛かりは、その本体を横移動し易くし、又、請求項４に記載のフック掛けのある開き止め金具は、指先の入る穴と同様、簡単に、フックに引っ掛ける事が出来て収納性が良い。【００１９】  請求項４に記載の電子音が鳴る装置は、押されたバネが一番短くなった事を知らせてくれ、それは同時に、有効性のある水切り穴が開き終った事を知らせてくれる事であり、又、それは、単純な反復動作の穴開け作業を、楽しくする事が出来る。
【発明を実施するための最良の形態】
【００２０】  請求項１に記載のハンディ−な本体で、第三種てこ、及び、第一種てこの原理を用いた機構のそれらの代表的な例として、手持ち式ステ−プラ図１、及び、手持式ちハトメパンチ図８等の本体の機構の機能を流用し、図１から図１０を使用して説明する。【００２１】  手持ち式ステ−プラの押刃４、及び、手持ち式ハトメパンチのハトメ押し台１６等の代りに、請求項１に記載の数本のバネ８で囲われた釘針６をそれらに設け、更に、それらの針曲げ台５、及び、ハトメ乗せ台１７等の代りに、請求項２に記載のバネ受溝１２、及び、釘針受穴１１のあるバネ受台９を設け、そのバネ受台９上の袋面１３を、バネ８の端部がバネ受面で押え付けて、釘針６がその袋面１３に直角に突き刺さるように、釘針座面７、袋面１３、及び、バネ受台上面１０がそれぞれ平行になるように設けた機構とする。【００２２】  又、手持ち式ステ−プラ本体には、請求項３に記載の指先の入る穴１４の指掛かりを、バネ受台の下側に設け、又、手持ち式ハトメパンチ本体には、請求項４に記載のフック掛けのある開き止め金具１８を設けた機構とする。【００２３】  更に、ハンドルを押して、数本のバネで囲われた釘針が、バネ受台の上の袋面を突き刺して、押されたバネが一番短くなった時、電池が組込まれた電子音の鳴る装置のスイッチが入り、通電して、電子音の擬音が鳴る装置を設けた機構とする。
【図面の簡単な説明】
【００２４】
【図１】  手持ち式ステ−プラ斜視図（ＪＩＳ  Ｓ  ６０３５より引用。）。
【図２】  図１の本体の機構の機能を流用し、押刃、及び、針曲げ台等の代りに、請求項１に記載の数本のバネで囲われた釘針、及び、請求項２に記載のバネ受台等を設け、支点、作用点、及び、反作用点の位置関係により、釘針が袋面に直角に突き刺さる時、釘針座面とバネ受台上面が平行になる為に、バネ受台に角度を設けた本体が開いた状態の全体斜視図。
【図３】  図２の請求項１に記載の数本のバネで囲われた釘針部分と請求項２に記載のバネ受台部分の拡大斜視図。
【図４】  図２の釘針全体の抵抗を時間的に分散する為に、釘針の長さに違いを設けて本体が開いた状態の側面図。
【図５】  図４本体が袋を挟んで、釘針が袋面に直角に突き刺さる時、釘針座面、袋面、及び、バネ受台上面がそれぞれ平行な状態の時の側面図。
【図６】  釘針が袋面に直角に突き刺さる時、釘針座面とバネ受台上面が平行になる為に、バネ受台に角度を設けないで、支点、作用点、及び、反作用の位置関係を変えた本体が開いた状態の側面図。
【図７】  図６本体が袋を挟んで、釘針が袋面に直角に突き刺さる時、釘針座面、袋面、及び、バネ受台上面がそれぞれ平行な状態の時の側面図。
【図８】  手持ち式ハトメパンチ側面図。
【図９】  図８の本体の機構の機能を流用し、ハトメ押し台、及び、ハトメ乗せ台等の代りに、請求項１に記載の数本のバネで囲われた釘針、及び、請求項２に記載のバネ受台等を設けた本体が開いた状態の側面図。
【図１０】  図９本体が袋を挟んで、釘針が袋面に直角に突き刺さる時、釘針座面、袋面、及び、バネ受台上面がそれぞれ平行な状態の時の側面図。
【符号の説明】
【００２５】  １…ステ−プラ本体のハンドル部分、２…ステ−プラ本体のベ−ス部分、３…つづり針、４…押刃、５…針曲げ台、６…釘針、７…釘針座面、８…バネ、９…バネ受台、１０…バネ受台上面、１１…釘針受穴、１２…バネ受溝、１３…袋、１４…指掛かり、１５…手持ち式ハトメパンチ本体のハンドル、１６…ハトメ押し台、１７…ハトメ乗せ台、１８…フック掛けのある開き止め金具。
【図１】
0004730853.tif 000002
【図２】
0004730853.tif 000003
【図３】
0004730853.tif 000004
【図４】
0004730853.tif 000005
【図５】
0004730853.tif 000006
【図６】
0004730853.tif 000007
【図７】
0004730853.tif 000008
【図８】
0004730853.tif 000009
【図９】
0004730853.tif 000010
【図１０】
0004730853.tif 000011